(57)【要約】【課題】補強ブレースの耐力を確実有効に発揮させることを可能にする吊り天井用補強ブレースの接続具を提供する。【解決手段】補強ブレース１０の上端１０ａ側に固着される接続具本体１６と、建物躯体の上部構造３に固設された雌ネジ部材１７に螺合する雄ネジ部１８を一体に備えるとともに、補強ブレース１０の材軸Ｏ１直交方向に延びる回転軸２０の軸線Ｏ２周りに相対回転可能に接続具本体１６にピン接続して設けられた接続ヒンジ機構１９とを備えて構成する。【選択図】図１
2015074889.tif 000002
【特許請求の範囲】
【請求項１】
吊り部材を介して建物躯体の上部構造に吊り下げ支持された天井下地に下端側を接続して配設される吊り天井用補強ブレースの上端側を前記上部構造に接続するための接続具であって、
前記補強ブレースの上端側に固着される接続具本体と、
前記上部構造に固設された雌ネジ部材に螺合する雄ネジ部を一体に備えるとともに、前記補強ブレースの材軸直交方向に延びる回転軸周りに相対回転可能に前記接続具本体にピン接続して設けられた接続ヒンジ機構とを備えて構成されていることを特徴とする吊り天井用補強ブレースの接続具。
【請求項２】
請求項１記載の吊り天井用補強ブレースの接続具において、
断面二次モーメントが前記補強ブレースよりも大きくなるように形成されていることを特徴とする吊り天井用補強ブレースの接続具。
【発明の詳細な説明】
【技術分野】
【０００１】
本発明は、吊り天井用補強ブレースの接続具に関する。
【背景技術】
【０００２】
従来、例えば学校、病院、生産施設、体育館、プール、空港ターミナルビル、オフィスビル、劇場、シネコン等の建物の天井として、吊り天井が多用されている（例えば、特許文献１、特許文献２参照）。そして、吊り天井Ａは、例えば図３及び図４に示すように、水平の一方向Ｔ１に所定の間隔をあけて並設される複数の野縁１と、野縁１に直交し、水平の他方向Ｔ２に所定の間隔をあけて並設され、複数の野縁１に一体に接続して設けられる複数の野縁受け２と、下端を野縁受け２に接続し、上端を上階の床材等の上部構造３（建物躯体）に固着して配設される複数の吊りボルト（吊り部材）４と、野縁１の下面にビス留めなどによって一体に取り付けられ、下階の天井面（天井部５）を形成する天井パネル（天井材）６とを備えて構成されている。
【０００３】
また、例えば図５に示すように、吊り天井（吊り天井構造）Ａには、水平の一方向Ｔ１に所定の間隔をあけて並設され、一方向Ｔ１に直交する他方向Ｔ２に延びる複数のＴバー（断面逆Ｔ型の支持部材）８と、上端を上部構造に固着し、下端側をＴバー８に接続して配設された複数の吊りボルト（吊り部材）４と、Ｔバー８などからなる天井下地７にビス留めして一体に取り付けられて天井面（天井部５）を形成する天井パネル（天井材）６とを備えて構成したものもある。
【０００４】
一方、このように野縁１及び野縁受け２、Ｔバー８からなる天井下地７と天井パネル６を吊りボルト４で吊り下げ支持してなる吊り天井Ａは、その構造上、地震時に作用する水平力によって横揺れしやすい。そして、地震時に横揺れして、天井部５の端部５ａが壁や柱、梁などの建物構成部材（建物躯体）９に衝突し、天井パネル６に破損が生じたり、脱落が生じるおそれがある。
【０００５】
このため、従来、吊りボルト４の吊元付近に上端側を接続し、下端側を野縁受け２（あるいはそれに代わる水平材）やＴバー８などの天井下地７に接続して補強ブレース１０を設け、天井下地７及び天井パネル６からなる天井部５の地震時の横揺れを抑えるようにしている（図４、図５参照）。
【０００６】
また、補強ブレース１０の上端１０ａ側を吊りボルトに接続する際には、ブレースホルダー（補強ブレースの接続具）１１、１２が用いられている（例えば、特許文献３参照）。そして、ブレースホルダーには、図６に示すように、吊りボルト４に対して横合いから引っ掛けて係止させるタイプのブレースホルダー１１や、図７に示すように、予め吊りボルト４を囲繞する連通孔１２ａを備えた閉鎖型の断面形状で形成され、連通孔１２ａに吊りボルト４を挿通して係止させるタイプのブレースホルダー１２が多用されている。
【先行技術文献】
【特許文献】
【０００７】
【特許文献１】特開２００８−１２１３７１号公報
【特許文献２】特開２００５−３５０９５０号公報
【特許文献３】特開２０１３−１４４８９１号公報
【発明の概要】
【発明が解決しようとする課題】
【０００８】
しかしながら、上記従来のブレースホルダー（吊り天井用補強ブレースの接続具）においては、吊り天井Ａに地震時のよって水平力（水平方向の慣性力）が作用した際に、図８及び図９に示すように、補強ブレース１０に座屈する前に、ブレースホルダー１１、１２に折れ曲がりが生じたり、ブレースホルダー１１、１２が外れてしまったり、ブレースホルダー１１、１２が吊りボルト４に対して滑動するおそれがあった。そして、このような場合には、補強ブレース１０の本来の耐力が発揮されなくなってしまうという問題があった。
【０００９】
本発明は、上記事情に鑑み、補強ブレースの耐力を確実有効に発揮させることを可能にする吊り天井用補強ブレースの接続具を提供することを目的とする。
【課題を解決するための手段】
【００１０】
上記の目的を達するために、この発明は以下の手段を提供している。
【００１１】
本発明の吊り天井用補強ブレースの接続具は、吊り部材を介して建物躯体の上部構造に吊り下げ支持された天井下地に下端側を接続して配設される吊り天井用補強ブレースの上端側を前記上部構造に接続するための接続具であって、前記補強ブレースの上端側に固着される接続具本体と、前記上部構造に固設された雌ネジ部材に螺合する雄ネジ部を一体に備えるとともに、前記補強ブレースの材軸直交方向に延びる回転軸周りに相対回転可能に前記接続具本体にピン接続して設けられた接続ヒンジ機構とを備えて構成されていることを特徴とする。
【００１２】
また、本発明の吊り天井用補強ブレースの接続具においては、断面二次モーメントが前記補強ブレースよりも大きくなるように形成されていることが望ましい。
【発明の効果】
【００１３】
本発明の吊り天井用補強ブレースの接続具においては、例えば溶接やボルト接合、ビス留めなどによって補強ブレースの上端側に固着した接続具本体と、建物躯体の上部構造に固設された雌ネジ部材に雄ネジ部を螺合して設けられる接続ヒンジ機構とが、補強ブレースの材軸直交方向に延びる回転軸の軸線周りに相対回転可能にピン接続されているため、地震時に、吊り天井の天井下地と建物躯体との間に生じる地震時の水平力を補強ブレースによって確実に受け、吊り天井の横揺れを抑止することが可能になる。
【００１４】
また、これとともに、この吊り天井用補強ブレースの接続具がピン支承として機能し、接続具本体と接続ヒンジ機構が相対回転することで、従来のように接続具が局所的に折れ曲がったり、吊り部材に対して滑動したり、外れてしまうことがなく、確実に補強ブレースの本来の耐力を発揮させることが可能になる。
【００１５】
さらに、本発明の吊り天井用補強ブレースの接続具においては、断面二次モーメントが補強ブレースよりも大きくなるように形成すると、補強ブレースよりも先に座屈変形などが生じることを確実に防止できる。これにより、より確実に補強ブレースの本来の耐力を発揮させることが可能になる。
【図面の簡単な説明】
【００１６】
【図１】本発明の一実施形態に係る吊り天井用補強ブレースの接続具を示す図である。
【図２】図１のＸ１−Ｘ１線矢視図である。
【図３】吊り天井構造を示す天井面側からの斜視図である。
【図４】吊り天井構造を示す天井裏側からの斜視図である。
【図５】吊り天井構造を示す天井裏側からの斜視図である。
【図６】従来のブレースホルダー（吊り天井用補強ブレースの接続具）を示す図である。
【図７】従来のブレースホルダー（吊り天井用補強ブレースの接続具）を示す図である。
【図８】従来のブレースホルダー（吊り天井用補強ブレースの接続具）が吊りボルトから外れた状態を示す図である。
【図９】従来のブレースホルダー（吊り天井用補強ブレースの接続具）に折れ曲がりが生じた状態、滑動した状態を示す図である。
【発明を実施するための形態】
【００１７】
以下、図１及び図２、図３から図５を参照し、本発明の一実施形態に係る吊り天井用補強ブレースの接続具について説明する。ここで、本実施形態は、例えば学校、病院、生産施設、体育館、プール、空港ターミナルビル、オフィスビル、劇場、シネコン等の建物の天井として用いられる吊り天井の構造に関するものである。
【００１８】
そして、本実施形態の吊り天井（吊り天井構造）Ｂは、図３及び図４に示すように、野縁１と野縁受け２と吊り部材（吊りボルト）４と天井材６とを備えて構成されている。
【００１９】
野縁１は、例えば断面コ字状に形成された溝形鋼であり、水平に延設され、且つ水平の一方向の横方向Ｔ１に所定の間隔をあけ、平行に複数配設されている。
【００２０】
野縁受け２は、例えば断面コ字状に形成された溝形鋼であり、水平に延設され、且つ水平の他方向の横方向Ｔ２に所定の間隔をあけ、平行に複数配設されている。また、このとき、野縁受け２は、野縁１と交差するように配設されるとともに、複数の野縁１上に載置した状態で配設される。そして、各野縁受け２は、野縁１と交差する部分で、野縁接続用金具（クリップ）を使用することにより野縁１に接続されている。
【００２１】
吊り部材４は、円柱棒状に形成されるとともに外周面に雄ネジの螺刻を有する吊りボルトであり、上端を上階の床材等の上部構造３（建物躯体）に固着、または鋼製の根太等に緊結して垂下され、下端側を、吊り部材接続用金具（ハンガー）を用いることにより野縁受け２に接続して複数配設されている。また、複数の吊り部材４は、所定の間隔をあけて分散配置されている。
【００２２】
天井材（天井パネル）６は、２枚のボードを貼り付けて一体に積層形成したものであり、例えば天井付帯設備等の重量と併せて、１ｍ２あたり２０ｋｇ程度の重量で形成されている。そして、この天井材６は、複数の野縁１の下面にビス留めなどして設置されている。なお、天井材６は、１枚および３枚以上のボードで構成されていてもよい。
【００２３】
そして、この吊り天井Ｂでは、吊り部材４を介して建物（建物躯体）の上部構造３に、野縁１と野縁受け２と天井材６とが吊り下げ支持されている。また、野縁１と野縁受け２によって天井下地７が形成され、この天井下地７と天井下地７に取り付けた天井材６によって天井部５、この天井部５によって下階の天井面が形成されている。
【００２４】
また、本実施形態の吊り天井Ｂにおいては、図１及び図２、図４に示すように、上端１０ａ側を建物（建物躯体）の上部構造３に接続し、下端側を野縁受け２（あるいはそれに代わる水平材）などの天井下地７に接続し、材軸Ｏ１方向を斜めに向けて補強ブレース１０が設けられている。この補強ブレース１０には、例えば断面コ字状の溝形鋼などが用いられている。
【００２５】
一方、この補強ブレース１０を建物の上部構造３に接続するための本実施形態の吊り天井用補強ブレースの接続具（ブレースホルダー）１５は、例えば金属製であり、図１及び図２に示すように、補強ブレース１０の上端１０ａ側に固着される接続具本体１６と、建物の上部構造３に固設された雌ネジ部材（インサート）１７に螺合する雄ネジ部１８を一体に備えるとともに、補強ブレース１０の材軸Ｏ１に直交する方向に延びる回転軸２０の軸線Ｏ２周りに相対回転可能に接続具本体１６にピン接続して設けられた接続ヒンジ機構１９とを備えて構成されている。
【００２６】
また、接続具本体１６は、例えば断面子字状の溝形鋼等であり、補強ブレース１０の上端１０ａ側に下端側を係合させるとともに、溶接やボルト接合、ビス留めなどによって補強ブレース１０の上端１０ａ側に固着される。接続ヒンジ機構１９は、接続具本体１６の上端側に回転軸２０を接続し、この回転軸２０の軸線Ｏ２周りに相対回転可能に設けられている。
【００２７】
また、本実施形態の吊り天井用補強ブレースの接続具１５は、断面二次モーメントが補強ブレース１０よりも大きくなるように形成されている。
【００２８】
そして、上記構成からなる本実施形態の吊り天井用補強ブレースの接続具１５は、まず、接続具本体１６を補強ブレース１０の上端１０ａ側に固着し、補強ブレース１０の下端側を持ちながら、建物の上部構造３に固着した雌ネジ部材１７に接続ヒンジ機構１９の雄ネジ部１８を係合するとともに補強ブレース１０を回転させ、雌ネジ部材１７に雄ネジ部をねじ込む（螺合させる）。
【００２９】
これにより、補強ブレース１０の上端１０ａ側を吊り天井用補強ブレースの接続具１５を介して建物の上部構造３に接続することができ、補強ブレース１０を設置する際に、建物の上部構造３付近に作業者の手が届くように足場などを設けることを不要にして補強ブレース１０の取付作業を行うことが可能になる。
【００３０】
また、接続ヒンジ機構１９に対して接続具本体１６、ひいては補強ブレース１０を回転軸２０の軸線Ｏ２周りに回転させ、補強ブレース１０を所定の角度で斜設するとともに下端側を天井下地７に接続し、補強ブレース１０を所定の位置に設置することができる。
【００３１】
さらに、本実施形態の吊り天井用補強ブレースの接続具１５においては、例えば溶接やボルト接合、ビス留めなどによって補強ブレース１０の上端１０ａ側に固着した接続具本体１６と、建物躯体の上部構造３に固設された雌ネジ部材１７に雄ネジ部１８を螺合して設けられる接続ヒンジ機構１９とが、補強ブレース１０の材軸Ｏ１直交方向に延びる回転軸２０の軸線Ｏ２周りに相対回転可能にピン接続されている。このため、地震時に、吊り天井Ｂの天井下地７と建物躯体との間に生じる地震時の水平力を補強ブレース１０によって確実に受け、吊り天井Ｂの横揺れを抑止することが可能になる。
【００３２】
また、これとともに、この吊り天井用補強ブレースの接続具１５がピン支承として機能し、接続具本体１６と接続ヒンジ機構１９が相対回転することで、従来のように接続具が局所的に折れ曲がったり、吊り部材４に対して滑動したり、外れてしまうことがなく、確実に補強ブレース１０の本来の耐力を発揮させることが可能になる。
【００３３】
さらに、本実施形態の吊り天井用補強ブレースの接続具１５においては、断面二次モーメントが補強ブレース１０よりも大きくなるように形成されていることにより、補強ブレース１０よりも先に座屈変形などが生じることを確実に防止できる。これにより、より確実に補強ブレース１０の本来の耐力を発揮させることが可能になる。
【００３４】
以上、本発明に係る吊り天井用補強ブレースの接続具の一実施形態について説明したが、本発明は上記の一実施形態に限定されるものではなく、その趣旨を逸脱しない範囲で適宜変更可能である。
【００３５】
本実施形態では、天井下地７が野縁１と野縁受け２を備えて構成されているものとしたが、本発明に係る天井下地は、必ずしも本実施形態のように限定しなくてもよく、例えば、図５に示したように、吊りボルト（吊り部材）４に吊り下げ支持されて水平の一方向Ｔ１に所定の間隔をあけて並設されるとともに一方向Ｔ１に直交する他方向Ｔ２に延びる複数のＴバー（断面逆Ｔ型の支持部材）を備えて構成した天井下地７であってもよい。すなわち、本発明は、補強ブレースの上端側の接続構造を除いた吊り天井構造の構成に限定される必要はない。
【符号の説明】
【００３６】
１      野縁
２      野縁受け
３      上部構造（建物躯体）
４      吊り部材（吊りボルト）
５      天井部
５ａ    端部
６      天井材（天井パネル）
７      天井下地
８      Ｔバー
９      建物構成部材（建物躯体）
１０    補強ブレース
１０ａ  上端
１１    従来のブレースホルダー
１２    従来のブレースホルダー
１５    ブレースホルダー（吊り天井用補強ブレースの接続具）
１６    接続具本体
１７    雌ネジ部材
１８    雄ネジ部
１９    接続ヒンジ機構
２０    回転軸
Ａ      従来の吊り天井構造
Ｂ      吊り天井構造
Ｏ１    補強ブレースの材軸
Ｏ２    回転軸の軸線
Ｔ１    横方向（一方向）
Ｔ２    横方向（他方向）
Ｔ３    上下方向
【図１】
2015074889.tif 000003
【図２】
2015074889.tif 000004
【図３】
2015074889.tif 000005
【図４】
2015074889.tif 000006
【図５】
2015074889.tif 000007
【図６】
2015074889.tif 000008
【図７】
2015074889.tif 000009
【図８】
2015074889.tif 000010
【図９】
2015074889.tif 000011